(57)【特許請求の範囲】
【請求項１】
適応等化処理により送信データ系列を判定する適応等化装置を備える受信機において、
前記適応等化装置が、
受信信号を構成するバーストフォーマットの前方に配置された第１のユニークワードを用いて、適応等化処理に適したタイミングを検出するタイミング検出手段と、
前記タイミングに基づいて標本化された受信信号を抽出する受信信号抽出手段と、
前記抽出後の受信信号に含まれる第１のユニークワードを用いて伝送路インパルス応答の初期値を推定するＣＩＲ初期値推定手段と、
前記推定された初期値に基づいて、異なったタイミングの複数の伝送路インパルス応答初期値を設定するＣＩＲ初期値設定手段と、
前記複数の伝送路インパルス応答初期値を用いた複数の復調結果を用いて、それぞれ、前記第１のユニークワードと後方に配置された第２のユニークワードとの間隔と、予め既知の当該間隔と、が同一かどうかを判定し、各初期値を用いた場合のタイミングスリップの有無を個別に判断し、当該判断の結果、前記複数の伝送路インパルス応答初期値のうち前記間隔が同一となるタイミングスリップの起こらない伝送路インパルス応答初期値を選択し、当該伝送路インパルス応答初期値と前記抽出後の受信信号とを用いて復調した判定値を出力する適応等化手段と、
を備えることを特徴とする受信機。
【請求項２】
適応等化処理により送信データ系列を判定するブラインド等化装置を備える受信機において、
前記ブラインド等化装置が、
異なったタイミングの複数の伝送路インパルス応答固定初期値を設定するＣＩＲ初期値設定手段と、
前記複数の伝送路インパルス応答固定初期値を用いた複数の復調結果を用いて、それぞれ、受信信号を構成するバーストフォーマットの前方に配置された第１のユニークワードとその後方に配置された第２のユニークワードとの間隔と、予め既知の当該間隔と、が同一かどうかを判定し、各固定初期値を用いた場合のタイミングスリップの有無を個別に判断し、当該判断の結果、前記複数の伝送路インパルス応答固定初期値のうち前記間隔が同一となるタイミングスリップの起こらない伝送路インパルス応答固定初期値を選択し、当該伝送路インパルス応答固定初期値と前記受信信号とを用いて復調した判定値を出力する適応等化手段と、
前記判定値からデータタイミングを検出するタイミング検出手段と、
前記タイミングに基づいて前記判定値を抽出する判定値抽出手段と、
を備えることを特徴とする受信機。
【請求項３】
受信信号を構成するバーストフォーマットの前方に配置された第１のユニークワードを用いて適応等化処理に適したタイミングを検出するタイミング検出ステップと、
前記タイミングに基づいて標本化された受信信号を抽出する受信信号抽出ステップと、
前記抽出後の受信信号に含まれる第１のユニークワードを用いて伝送路インパルス応答の初期値を推定するＣＩＲ初期値推定ステップと、
前記推定された初期値に基づいて、異なったタイミングの複数の伝送路インパルス応答初期値を設定するＣＩＲ初期値設定ステップと、
前記複数の伝送路インパルス応答初期値を用いた複数の復調結果を用いて、それぞれ、前記第１のユニークワードと後方に配置された第２のユニークワードとの間隔と、予め既知の当該間隔と、が同一かどうかを判定し、各初期値を用いた場合のタイミングスリップの有無を個別に判断し、当該判断の結果、前記複数の伝送路インパルス応答初期値のうち前記間隔が同一となるタイミングスリップの起こらない伝送路インパルス応答初期値を選択し、当該伝送路インパルス応答初期値と前記抽出後の受信信号とを用いて復調した判定値を出力する適応等化ステップと、
を含むことを特徴とする適応等化処理方法。
【請求項４】
異なったタイミングの複数の伝送路インパルス応答固定初期値を設定するＣＩＲ初期値設定ステップと、
前記複数の伝送路インパルス応答固定初期値を用いた複数の復調結果を用いて、それぞれ、受信信号を構成するバーストフォーマットの前方に配置された第１のユニークワードとその後方に配置された第２のユニークワードとの間隔と、予め既知の当該間隔と、が同一かどうかを判定し、各固定初期値を用いた場合のタイミングスリップの有無を個別に判断し、当該判断の結果、前記複数の伝送路インパルス応答固定初期値のうち前記間隔が同一となるタイミングスリップの起こらない伝送路インパルス応答固定初期値を選択し、当該伝送路インパルス応答固定初期値と前記受信信号とを用いて復調した判定値を出力する適応等化ステップと、
前記判定値からデータタイミングを検出するタイミング検出ステップと、
前記タイミングに基づいて前記判定値を抽出する判定値抽出ステップと、
を含むことを特徴とする適応等化処理方法。
【発明の詳細な説明】
【０００１】
【発明の属する技術分野】
本発明は、自動車電話等に用いられる受信機に関するものであり、特に、高速に移動する無線通信に適用可能な受信機および適応等化処理方法に関するものである。
【０００２】
【従来の技術】
以下、従来の受信機に用いられている等化器について説明する。携帯電話をはじめとするディジタル無線通信では、マルチパス伝搬によりデータシンボルに対して無視できない遅延波が生じることがある。この遅延波が生じた場合、データシンボルにわたって干渉が生じる。これを符号間干渉（ISI: Inter Symbol Interference）と呼ぶ。このＩＳＩを克服するための受信技術の１つに等化技術がある。
【０００３】
上記等化技術を用いた等化器の動作について説明する。ここでは、レプリカ作成型最尤系列推定器（ＭＬＳＥ等化器： Maximum  Likelihood Sequence Estimator[ＭＬＳＥに関しては，G. D. Forney, Jr.:"Maximum-likelihood sequence estimation of digital sequences in the presence of intersymbol interference", IEEE Trans. Inform, Theory, vol. IT-18, 3, pp. 363-378, May. 1972を参照]）を一例に挙げる。
【０００４】
ＭＬＳＥ等化器では、ユニークワードと呼ばれるあらかじめ受信側において既知の系列を用いて、マルチパス伝搬により時間分散を有して到来する信号の振幅，位相，遅延時間を推定する。これは、マルチパス伝搬によって生じる伝送路ひずみを推定するものであり、その推定結果は、チャネルインパルス応答（ＣＩＲ： Channel Impulse Response）と呼ばれる。ＭＬＳＥ等化器では、このＣＩＲを用いて、想定されるデータシンボル候補に対する受信信号候補（レプリカ）を作成する。そして、当該レプリカと受信信号とを比較し、最も似ている（尤度の高い）レプリカに対応するデータシンボル候補を判定データシンボルとし、復調を行う。このように、ＭＬＳＥ等化器では、推定したＣＩＲを用いて遅延波による伝送路ひずみを補償し、ＩＳＩを克服する。
【０００５】
しかしながら、移動体通信においては、たとえば、端末が移動するような場合に、信号の伝送路が時刻により変化する。すなわち、ＭＬＳＥ等化器で必要なＣＩＲは、時刻とともに変動することになる。このとき、ＭＬＳＥ等化器で推定されたＣＩＲは、ユニークワードを送信した時刻に推定したものであるため、その時刻から離れた信号を復調する場合には、ＣＩＲ変動分が誤差となり、特性が劣化する。
【０００６】
これに対し、伝送路変動に追従する適応等化器が提案されている[伝送路変動に追従する適応等化器に関しては，H.Kubo, K. Murakami and T. Fujino, "An adaptive maximum-likelihood sequence estimation for fast time-varying intersymbol interference channels", IEEE Trans. Commun. , vol. COM-42, 2/3/4, pp. 1872-1880, Feb./Mar./Apr. 1994を参照]。この適応等化器では、ユニークワードを用いてＣＩＲ初期値を推定し、さらに、復調されたデータシンボルを用いて時刻とともに変動するＣＩＲを逐次推定することで、伝送路変動に追従する。これにより、高速に伝送路が変動する条件においても等化処理が可能となる。
【０００７】
ここで、典型的な適応等化装置の動作を、図面を用いて説明する。図６は、従来の適応等化装置の構成を示す図である。図６において、１は受信信号入力端子であり、２は判定値出力端子であり、３００はタイミング調整器であり、３０１はタイミング検出器であり、３０２は適応等化器であり、３０３はＣＩＲ初期値推定器である。
【０００８】
従来の適応等化装置では、まず、タイミング検出器３０１が、受信信号を用いてユニークワードのタイミングを求め、タイミング調整器３００が、当該タイミングを用いてタイミング調整を行う。つぎに、ＣＩＲ初期値推定器３０３が、タイミング調整後の受信信号内のユニークワードを用いてＣＩＲ初期値を推定する。最後に、適応等化器３０２が、推定されたＣＩＲ初期値に基づいて時刻とともに変動するＣＩＲを逐次推定し、さらに、推定されたＣＩＲと受信信号とを用いて判定値を求める。
【０００９】
図７は、適応等化装置を用いる場合の典型的なバーストフォーマットを示す図である。図示のとおり、プリアンブルとユニークワードとデータで構成される。
【００１０】
図８は、上記適応等化装置を持つ受信機と基地局とを備えた通信システムを示す図である。ここでは、移動局３２１が、図示のように、位置（Ａ）から位置（Ｂ）に移動する場合について説明する。図８において、３２０は基地局であり、３２１は同一の移動局であり、１２３は基地局３２０から移動局３２１へ直接到来する直接波であり、１２４は基地局３２０から反射物により反射されて移動局３２１に到来する反射波であり、１３３は移動局３２１における伝送路ＣＩＲであり、１３４は移動先の移動局３２１における伝送路ＣＩＲであり、１４３は移動局３２１における設定ＣＩＲであり、１４４は移動先の移動局３２１における設定ＣＩＲである。
【００１１】
なお、反射波１２４は、直接波１２３より伝送経路が長いため、移動局３２１に到達する時間が遅れる。ここでは、反射波１２４の到来時間が、直接波１２３に対して１データシンボル分だけ遅延することとする。また、ＣＩＲについては、左側が直接波を表し、右側が反射波を表す。
【００１２】
たとえば、ユニークワードの受信中に、移動局３２１が（Ａ）に位置し、バースト終了時（移動時間を１バースト時間とする）に（Ｂ）に位置する場合、伝送路ＣＩＲ１３３は、伝送路ＣＩＲ１３４へ変化する。このとき、適応等化器３０２では、ユニークワードを用いてＣＩＲ初期値を推定し、その後、設定ＣＩＲ１４３を得る。そして、データが送信される時間においては、ＣＩＲの更新を行い、最終的に設定ＣＩＲ１４４まで追従する。このとき、復調タイミングは、直接波１２３に含まれるユニークワードにより得られ、データの区間にわたって一定のタイミングを用いる。
【００１３】
また、上記適応等化装置を応用したものとして、ブラインド等化装置が提案されている。ブラインド等化装置は、ユニークワードにより推定されたＣＩＲ初期値を必要としない適応等化器で構成される。
【００１４】
ここで、典型的なブラインド等化装置の動作を、図面を用いて説明する。図９は、従来のブラインド等化装置の構成を示す図である。図９において、４００はタイミング調整器であり、４０１はタイミング検出器であり、４０２は適応等化器であり、４０５はＣＩＲ固定初期値格納部である。
【００１５】
まず、従来のブラインド等化装置では、適応等化器４０２が、ユニークワードにより推定されたＣＩＲ初期値を必要としないため、通常、ＣＩＲ初期値として、ＣＩＲ固定初期値格納部４０５からある任意のＣＩＲ固定初期値が与えられる。つぎに、適応等化器４０２が、このＣＩＲ固定初期値およびプリアンブル区間を用いてＣＩＲを初期推定する。その後、ユニークワード区間およびデータ区間において、ＣＩＲを逐次推定し、当該ＣＩＲと受信信号とを用いて判定値を求める。つぎに、当該判定値を受け取ったタイミング検出器４０１が、判定値におけるユニークワード位置から判定値タイミングを求める。最後に、タイミング調整器４００が、当該判定値タイミングに基づいてタイミング調整を行う。
【００１６】
図１０は、上記ブラインド等化装置を持つ受信機と基地局とを備えた通信システムを示す図である。図１０において、４２０は基地局であり、４２１は移動局である。また、１４５は適応等化器４０２が受け取るＣＩＲ固定初期値であり、直接波および遅延波の成分を０とする。適応等化器４０２では、まず、ＣＩＲ初期値１４５およびプリアンブル区間を用いてＣＩＲを初期推定し、ユニークワード区間における設定ＣＩＲ１４３を得る。その後、データ区間において復調を行い、判定値を出力する。
【００１７】
【発明が解決しようとする課題】
しかしながら、上記、従来の適応等化装置、およびブラインド等化装置においては、タイミングスリップに起因するタイミングのずれが発生する、という問題があった。以下、この問題点の原因となるタイミングスリップを詳細に説明する。
【００１８】
図１１は、上記従来の適応等化装置におけるタイミングスリップを説明するための図である。図１１おいて、３３０，３３１は伝送路ＣＩＲであり、３４０，３４１，３５０，３５１は設定ＣＩＲである。ここでは、位置（Ａ）において、移動局３２１における直接波１２３が障害物により遮断されるため、反射波１２４のみが到来することを前提とする。
【００１９】
このとき、適応等化器３０２では、ユニークワードから伝送路ＣＩＲを推定するが、現在前提としている状態では、すなわち、唯一の波（今回の例では反射波）が到来する環境では、その波が先行波であるか、遅延波であるか、を判別できない。これは、タイミング不確定性（ambiguity）と呼ばれる。
【００２０】
たとえば、遅延波と判別した場合は、移動局３２１が位置（Ａ）から位置（Ｂ）に移動し、直接波が到来する場合においても、正常に（通常どおり）動作する。
【００２１】
一方、先行波と判別した場合には、反射波を先行波として扱うことになるため、たとえば、障害物がなくなり直接波が到来したときに、先行波のさらに先行波が生じることとなる。この場合、適応等化器３０２では、障害物があるとき、反射波から得られるタイミングで復調後の判定値を出力し、障害物がなくなると、直接波から得られるタイミングで復調後の判定値を出力する。すなわち、出力される判定値は、障害物の有無でタイミングが異なる、という現象が生じる。この現象をタイミングスリップと呼ぶ。
【００２２】
また、図１２は、上記従来のブラインド等化装置におけるタイミングスリップを説明するための図である。図１２において、４３０，４３１は伝送路ＣＩＲであり、４４０，４４１，４５０，４５１は設定ＣＩＲである。また、４６０は適応等化器が受け取るＣＩＲ初期値であり、直接波，遅延波の成分を０とする。
【００２３】
この場合、適応等化器４０２では、上記同様、プリアンブル区間を用いてＣＩＲ４４０とＣＩＲ４５０の２通りのＣＩＲを推定する可能性がある。しかしながら、ＣＩＲ４５０を推定した場合は、上記同様、直接波が到来した時点においてタイミングスリップが起こる。
【００２４】
本発明は、上記に鑑みてなされたものであって、直接波が障害物に遮断されて遅延波だけが到来し、途中から直接波が到来するような環境においても、タイミングスリップが生じないＣＩＲ初期値を選択することでタイミング不確定性を除去可能な受信機、および適応等化処理方法、を得ることを目的とする。
【００２５】
【課題を解決するための手段】
上述した課題を解決し、目的を達成するために、本発明にかかる受信機にあっては、適応等化処理により送信データ系列を判定する適応等化装置を備え、当該適応等化装置が、受信信号を構成するバーストフォーマットの前方に配置された第１のユニークワードを用いて、適応等化処理に適したタイミングを検出するタイミング検出手段（後述する実施の形態のタイミング検出器１０１に相当）と、前記タイミングに基づいて標本化された受信信号を抽出する受信信号抽出手段（タイミング調整器１００に相当）と、前記抽出後の受信信号に含まれる第１のユニークワードを用いて伝送路インパルス応答の初期値を推定するＣＩＲ初期値推定手段（ＣＩＲ初期値推定器１０３に相当）と、前記推定された初期値に基づいて、異なったタイミングの複数の伝送路インパルス応答初期値を設定するＣＩＲ初期値設定手段（ＣＩＲ初期値設定器１０４に相当）と、前記第１のユニークワードと後方に配置された第２のユニークワードとの間隔を判定することで、各初期値を用いた場合のタイミングスリップの有無を個別に判断し、タイミングスリップの起こらない伝送路インパルス応答初期値と、前記抽出後の受信信号と、を用いて判定値を得る適応等化手段（適応等化器１０２に相当）と、を備えることを特徴とする。
【００２６】
つぎの発明にかかる受信機にあっては、適応等化処理により送信データ系列を判定するブラインド等化装置を備え、当該ブラインド等化装置が、異なったタイミングの複数の伝送路インパルス応答固定初期値を設定するＣＩＲ初期値設定手段（ＣＩＲ初期値設定器２０４に相当）と、受信信号を構成するバーストフォーマットの前方に配置された第１のユニークワードと、その後方に配置された第２のユニークワードと、の間隔を判定することで、各固定初期値を用いた場合のタイミングスリップの有無を個別に判断し、タイミングスリップの起こらない伝送路インパルス応答固定初期値と、前記受信信号と、を用いて判定値を得る適応等化手段（適応等化器２０２に相当）と、前記判定値からデータタイミングを検出するタイミング検出手段（タイミング検出器１０１に相当）と、前記タイミングに基づいて前記判定値を抽出する判定値抽出手段（タイミング調整器１００に相当）と、を備えることを特徴とする。
【００２７】
つぎの発明にかかる適応等化処理方法にあっては、受信信号を構成するバーストフォーマットの前方に配置された第１のユニークワードを用いて適応等化処理に適したタイミングを検出するタイミング検出ステップと、前記タイミングに基づいて標本化された受信信号を抽出する受信信号抽出ステップと、前記抽出後の受信信号に含まれる第１のユニークワードを用いて伝送路インパルス応答の初期値を推定するＣＩＲ初期値推定ステップと、前記推定された初期値に基づいて、異なったタイミングの複数の伝送路インパルス応答初期値を設定するＣＩＲ初期値設定ステップと、前記第１のユニークワードと後方に配置された第２のユニークワードとの間隔を判定することで、各初期値を用いた場合のタイミングスリップの有無を個別に判断し、タイミングスリップの起こらない伝送路インパルス応答初期値と、前記抽出後の受信信号と、を用いて判定値を得る適応等化ステップと、を含むことを特徴とする。
【００２８】
つぎの発明にかかる適応等化処理方法にあっては、異なったタイミングの複数の伝送路インパルス応答固定初期値を設定するＣＩＲ初期値設定ステップと、受信信号を構成するバーストフォーマットの前方に配置された第１のユニークワードと、その後方に配置された第２のユニークワードと、の間隔を判定することで、各固定初期値を用いた場合のタイミングスリップの有無を個別に判断し、タイミングスリップの起こらない伝送路インパルス応答固定初期値と、前記受信信号と、を用いて判定値を得る適応等化ステップと、前記判定値からデータタイミングを検出するタイミング検出ステップと、前記タイミングに基づいて前記判定値を抽出する判定値抽出ステップと、を含むことを特徴とする。
【００２９】
【発明の実施の形態】
以下に、本発明にかかる受信機および適応等化処理方法の実施の形態を図面に基づいて詳細に説明する。なお、この実施の形態によりこの発明が限定されるものではない。
【００３０】
実施の形態１．
図１は、本発明にかかる受信機の実施の形態１の構成を示す図であり、詳細には、本発明にかかる受信機に用いられる適応等化器の構成を示す図である。図１において、１は受信信号入力端子であり、２は判定値出力端子であり、１００はタイミング調整器であり、１０１はタイミング検出器であり、１０２は適応等化器であり、１０３はＣＩＲ初期値推定器であり、１０４はＣＩＲ初期値設定器である。
【００３１】
以下、本実施の形態における適応等化装置の動作について説明する。適応等化装置においては、まず、受信信号入力端子１を介して受信信号を受け取ったタイミング検出器１０１が、当該受信信号に含まれるユニークワードのタイミングを求め、その後、タイミング調整器１００が、当該タイミングに基づいてタイミング調整を行う。すなわち、標本化された受信信号を抽出する。
【００３２】
つぎに、ＣＩＲ初期値推定器１０３が、タイミング調整後の受信信号に含まれたユニークワードを用いて、ＣＩＲ初期値を推定する。そして、ＣＩＲ初期値設定器１０４が、推定されたＣＩＲ初期値を用いて、適切なＣＩＲ初期値を適応等化器に設定する。
【００３３】
最後に、適応等化器１０２が、設定されたＣＩＲ初期値に基づいてＣＩＲを逐次更新し、推定したＣＩＲと上記タイミング調整後の受信信号とを用いて復調処理を行い、復調後の判定値を判定値出力端子２に出力する。
【００３４】
ここで、本発明の特徴となるＣＩＲ初期値設定器１０４および適応等化器１０２の動作を詳細に説明する。たとえば、ＣＩＲ初期値推定器１０３によりすべてのタップに対して電力が推定された場合、ＣＩＲ初期値設定器１０４では、適応等化器１０２に対して、当該推定されたＣＩＲをＣＩＲ初期値として設定する。一方、ＣＩＲ初期値推定器１０３により推定されたＣＩＲのうち、電力の小さいものが存在するような場合には、前述のタイミング不確定性が存在するため、適応等化器１０２に対して、異なったタイミングの設定ＣＩＲをＣＩＲ初期値として設定する。すなわち、推定された１つのＣＩＲを用いて複数のＣＩＲ初期値を設定する。このとき、適応等化器１０２では、ＣＩＲ初期値単位に所定の動作を行い、複数個の判定結果を得る。
【００３５】
図２は、本実施の形態の適応等化器で用いるバーストフォーマットを示す図である。本実施の形態では、バーストフォーマットを、プリアンブルと第１のユニークワードとデータと第２のユニークワードで構成する。
【００３６】
図３は、上記適応等化器を持つ受信機と基地局とを備えた通信システムを示す図である。図３において、１２０は基地局であり、１２１は移動局であり、１２５は反射物であり、１２６は障害物であり、１２３は基地局１２０から移動局１２１に直接到来する直接波であり、１２４は基地局１２０から反射物１２５により反射されて移動局１２１に到来する反射波であり、１３０は位置（Ａ）における伝送路ＣＩＲであり，１３１は位置（Ｂ）における伝送路ＣＩＲであり、１４０は位置（Ａ）における設定ＣＩＲであり、１４１は位置（Ｂ）における設定ＣＩＲであり、１５０は位置（Ａ）における設定ＣＩＲであり、１５１は位置（Ｂ）における設定ＣＩＲである。
【００３７】
なお、反射波１２４は直接波１２３より伝送経路が長いため、移動極に到達する時間が遅れる。ここでは、反射波１２４の到来時間は、直接波１２３に対して１データシンボル分だけ遅延することとする。また、上記各ＣＩＲは、左側が直接波１２３を、右側が反射波１２４を、それぞれ表す。
【００３８】
本実施の形態では、移動局１２１が図示のように位置（Ａ）から位置（Ｂ）に移動する場合について説明する。なお、ここでは、１データシンボルの遅延が生じる伝送路を想定する。また、適応等化装置のタップは２タップとし、さらに先行波に対応するタップを先行波タップとし、遅延波に対応するタップを遅延波タップとする。
【００３９】
たとえば、位置（Ａ）に存在する移動局１２１には、直接波１２３が障害物１２６により遮断されているため、反射波１２４だけが到来する。このとき、位置（Ａ）における伝送路ＣＩＲ１３０は、遅延波タップだけに電力が生じる。そのため、ＣＩＲ初期値推定器１０３で推定されるＣＩＲは、１タップ分だけ電力が生じ、他方の１タップについては電力がほぼ０となる。このように、ＣＩＲ初期値推定器１０３の処理において１タップだけに電力が生じるような場合、ＣＩＲ初期値設定器１０４では、電力のあるＣＩＲを先行波タップ（設定ＣＩＲ１５０に対応）と遅延波タップ（設定ＣＩＲ１４０に対応）のそれぞれに設定する。
【００４０】
たとえば、ＣＩＲを遅延波タップに設定した例が設定ＣＩＲ１４０である。ここでは、反射波１２４を遅延波として扱うこととなるため、移動局１２１が位置（Ａ）から位置（Ｂ）に移動し途中で直接波１２３が到来する場合においても、適応等化器１０２は、正常（通常どおり）に動作を行う。すなわち、図示の第１の復調データ（復調結果）に含まれるデータ区間では、タイミングスリップは起こらない。したがって、第１の復調データにおける第１のユニークワードと第２のユニークワードとの間隔は、予め既知である図示の送信データの間隔と同一となる。
【００４１】
一方、ＣＩＲを先行波タップに設定した例が設定ＣＩＲ１５０である。ここでは、反射波１２４を先行波として扱うこととなるため、移動局１２１が位置（Ａ）から位置（Ｂ）に移動した場合、直接波１２３の到来時に、先行波のさらに先行波が生じることとなる。この場合、伝送路変動に追従する適応等化器１０２では、直接波が到来した段階で、これまでの先行波（反射波１２４）を遅延波とし、新たに現れた波（直接波１２３）を先行波として扱い、動作を継続する。
【００４２】
そのため、適応等化器１０２では、障害物１２６がある場合に反射波１２４から得られるタイミングにおいて判定処理を行い、障害物１２６がなくなった段階で直接波１２３から得られるタイミングにおいて判定処理を行うことになる。すなわち、データ区間の途中で判定処理のタイミングが変わり、図示の第２の復調データ（復調結果）に含まれるデータ区間では、タイミングスリップが起こる。したがって、第１のユニークワードと第２のユニークワードとの間隔は、あらかじめ既知である図示の送信データの間隔と異なったものとなる。
【００４３】
そこで、適応等化器１０２では、上記２つのＣＩＲ初期値を設定された後、第１のユニークワードと第２のユニークワードとの間隔を判定することによりタイミングスリップの有無を判断し、タイミングスリップの起こらないＣＩＲ初期値と受信信号とを用いて復調した判定値を判定値出力端子２に出力する。
【００４４】
このように、本実施の形態においては、適応等化装置の構成を、「ＣＩＲ初期値設定器１０４が、到来波に対応する複数のＣＩＲ初期値を適応等化器１０２に設定し、さらに、適応等化器１０２が、各ＣＩＲ初期値に基づいて得られる個別の復調結果に対してユニークワード間隔の判定を行い、タイミングスリップが生じないＣＩＲ初期値を選択することができる構成」としたため、従来あったタイミング不確定性を除去することができる。
【００４５】
なお、本実施の形態では、説明の便宜上、１シンボル遅延に対応する２タップ適応等化装置に関して説明したが、これに限らず、上記構成を、たとえば、複数シンボル遅延に対応する複数タップ適応等化装置に適用した場合においても、上記と同様の効果が得られる。
【００４６】
実施の形態２．
図４は、本発明にかかる受信機の実施の形態２の構成を示す図であり、詳細には、本発明にかかる受信機に用いられるブラインド等化器の構成を示す図である。図４において、２０２は適応等化器であり、２０４はＣＩＲ初期値設定器である。なお、本実施の形態において、先に説明した実施の形態１と同様の構成については、同一の符号を付してその説明を省略する。また、本実施の形態で用いるバーストフォーマットについては、前述の実施の形態１と同様の図２を用いる。
【００４７】
ブラインド等化装置で用いる適応等化器２０２は、受信信号に含まれたユニークワードにより推定されたＣＩＲ初期値を必要としないため、ここでは、ＣＩＲ初期値設定器２０４が、適応等化器２０２に対してある任意のＣＩＲ固定初期値を与える。つぎに、適応等化器２０２では、受け取ったＣＩＲ固定初期値と受信信号に含まれたプリアンブル区間とを用いてＣＩＲを初期推定する。その後、適応等化器２０２では、ユニークワード区間およびデータ区間において、ＣＩＲを逐次推定し、当該設定ＣＩＲと受信信号とを用いて判定値を求める。
【００４８】
つぎに、当該判定値を受け取ったタイミング検出器１０１では、判定値におけるユニークワード位置から判定値タイミングを求める。最後に、タイミング調整器１００では、当該判定値タイミングに基づいてタイミング調整を行い、タイミング調整後の判定値を判定値出力端子２に対して出力する。
【００４９】
ここで、本発明の特徴となるＣＩＲ初期値設定器２０４および適応等化器２０２の動作を詳細に説明する。たとえば、ＣＩＲ初期値設定器２０４では、適応等化器２０２に対して、異なったタイミングのＣＩＲ固定初期値を設定する。すなわち、複数のＣＩＲ固定初期値を設定する。このとき、適応等化器２０２では、ＣＩＲ固定初期値単位に所定の動作を行い、複数個の判定結果を得る。
【００５０】
図５は、上記ブラインド等化器を持つ受信機と基地局とを備えた通信システムを示す図である。図５において、２２０は基地局であり、２２１は移動局であり、１２３は基地局２２０から移動局２２１に直接到来する直接波であり、１２４は基地局２２０から反射物１２５により反射されて移動局２２１に到来する反射波であり、２３０は位置（Ａ）における伝送路ＣＩＲであり，２３１は位置（Ｂ）における伝送路ＣＩＲであり、２４０は位置（Ａ）における設定ＣＩＲであり、２４１は位置（Ｂ）における設定ＣＩＲであり、２５０は位置（Ａ）における設定ＣＩＲであり、２５１は位置（Ｂ）における設定ＣＩＲであり、２４２，２５２は適応等化器２０２が受け取るＣＩＲ固定初期値である。
【００５１】
本実施の形態では、移動局１２１が図示のように位置（Ａ）から位置（Ｂ）に移動する場合について説明する。なお、ここでは、１データシンボルの遅延が生じる伝送路を想定する。また、適応等化装置のタップは２タップとし、さらに先行波に対応するタップを先行波タップとし、遅延波に対応するタップを遅延波タップとする。
【００５２】
たとえば、ＣＩＲ初期値設定器２０４が遅延波タップだけにある一定の電力を有するＣＩＲ固定初期値２４２を与えた場合、適応等化器２０２では、プリアンブル区間とＣＩＲ固定初期値２４２とを用いて、ＣＩＲを初期推定する。このとき、ユニークワード区間においてＣＩＲ２４０を推定した場合については反射波１２４を遅延波として扱うこととなるため、移動局２２１が位置（Ａ）から位置（Ｂ）に移動し途中で直接波１２３が到来する場合においても、すべてのデータ区間において、タイミングスリップは起こらない。すなわち、図示の第１の復調データに含まれるデータ区間では、タイミングスリップは起こらない。したがって、第１の復調データにおける第１のユニークワードと第２のユニークワードとの間隔は、予め既知である図示の送信データの間隔と同一となる。
【００５３】
一方、ＣＩＲ初期値設定器２０４が先行波タップだけにある一定の電力を有するＣＩＲ固定初期値２５２を与えた場合、適応等化器２０２では、プリアンブル区間とＣＩＲ固定初期値２５２とを用いて、ＣＩＲを初期推定する。このとき、ユニークワード区間においてＣＩＲ２５０を推定した場合については反射波を先行波として扱うこととなるため、直接波１２３の到来時に、先行波のさらに先行波が生じることとなる。この場合、伝送路変動に追従する適応等化器２０２では、直接波が到来した段階で、これまでの先行波（反射波１２４）を遅延波とし、新たに現れた波（直接波１２３）を先行波として扱い、動作を継続する。
【００５４】
そのため、適応等化器２０２では、障害物１２６がある場合に反射波１２４から得られるタイミングにおいて判定処理を行い、障害物１２６がなくなった段階で直接波１２３から得られるタイミングにおいて判定処理を行うことになる。すなわち、データ区間の途中で判定処理のタイミングが変わり、図示の第２の復調データに含まれるデータ区間では、タイミングスリップが起こる。したがって、第１のユニークワードと第２のユニークワードとの間隔は、予め既知である図示の送信データの間隔と異なったものとなる。
【００５５】
そこで、適応等化器２０２では、上記２つのＣＩＲ固定初期値を受け取り、その後、第１のユニークワードと第２のユニークワードとの間隔を判定することによりタイミングスリップの有無を判断し、タイミングスリップの起こらないＣＩＲ固定初期値と受信信号とを用いて復調した判定値を判定値出力端子２に出力する。
【００５６】
このように、本実施の形態においては、ブラインド等化装置の構成を、「ＣＩＲ初期値設定器２０４が、複数のＣＩＲ固定初期値を適応等化器２０２に設定し、さらに、適応等化器２０２が、各ＣＩＲ固定初期値に基づいて得られる個別の復調結果に対してユニークワード間隔の判定を行い、タイミングスリップが生じないＣＩＲ固定初期値を選択することができる構成」としたため、従来あったタイミング不確定性を除去することができる。
【００５７】
なお、本実施の形態では、説明の便宜上、１シンボル遅延に対応する２タップブラインド等化装置に関して説明したが、これに限らず、上記構成を、たとえば、複数シンボル遅延に対応する複数タップブラインド等化装置に適用した場合においても、上記と同様の効果が得られる。
【００５８】
【発明の効果】
以上、説明したとおり、本発明によれば、適応等化装置の構成を、「ＣＩＲ初期値設定手段が、到来波に対応する複数のＣＩＲ初期値を適応等化手段に設定し、さらに、適応等化手段が、各ＣＩＲ初期値に基づいて得られる個別の復調結果に対してユニークワード間隔の判定を行い、タイミングスリップが生じないＣＩＲ初期値を選択することができる構成」とした。これにより、従来あったタイミング不確定性を除去することが可能な受信機を得ることができる、という効果を奏する。
【００５９】
つぎの発明によれば、ブラインド等化装置の構成を、「ＣＩＲ初期値設定手段が、複数のＣＩＲ固定初期値を適応等化手段に設定し、さらに、適応等化手段が、各ＣＩＲ固定初期値に基づいて得られる個別の復調結果に対してユニークワード間隔の判定を行い、タイミングスリップが生じないＣＩＲ固定初期値を選択することができる構成」とした。これにより、従来あったタイミング不確定性を除去することが可能な受信機を得ることができる、という効果を奏する。
【００６０】
つぎの発明によれば、ＣＩＲ初期値設定ステップにて、到来波に対応する複数のＣＩＲ初期値を設定し、さらに、適応等化ステップにて、各ＣＩＲ初期値に基づいて得られる個別の復調結果に対してユニークワード間隔の判定を行い、タイミングスリップが生じないＣＩＲ初期値を選択する。これにより、従来あったタイミング不確定性を除去できる、という効果を奏する。
【００６１】
つぎの発明によれば、ＣＩＲ初期値設定ステップにて、複数のＣＩＲ固定初期値を設定し、さらに、適応等化ステップにて、各ＣＩＲ固定初期値に基づいて得られる個別の復調結果に対してユニークワード間隔の判定を行い、タイミングスリップが生じないＣＩＲ固定初期値を選択する。これにより、従来あったタイミング不確定性を除去できる、という効果を奏する。
【図面の簡単な説明】
【図１】  本発明にかかる受信機の実施の形態１の構成を示す図である。
【図２】  実施の形態１の適応等化器で用いるバーストフォーマットを示す図である。
【図３】  実施の形態１の適応等化器を持つ受信機と基地局とを備えた通信システムを示す図である。
【図４】  本発明にかかる受信機の実施の形態２の構成を示す図である。
【図５】  実施の形態２のブラインド等化器を持つ受信機と基地局とを備えた通信システムを示す図である。
【図６】  従来の適応等化装置の構成を示す図である。
【図７】  適応等化装置を用いる場合の典型的なバーストフォーマットを示す図である。
【図８】  適応等化装置を持つ受信機と基地局とを備えた通信システムを示す図である。
【図９】  従来のブラインド等化装置の構成を示す図である。
【図１０】  ブラインド等化装置を持つ受信機と基地局とを備えた通信システムを示す図である。
【図１１】  従来の適応等化装置におけるタイミングスリップを説明するための図である。
【図１２】  従来のブラインド等化装置におけるタイミングスリップを説明するための図である。
【符号の説明】
１  受信信号入力端子、２  判定値出力端子、１００  タイミング調整器、１０１  タイミング検出器、１０２  適応等化器、１０３  ＣＩＲ初期値推定器、１０４  ＣＩＲ初期値設定器、２０２  適応等化器、２０４  ＣＩＲ初期値設定器。
【図１】
0003844951.tif 000002
【図２】
0003844951.tif 000003
【図３】
0003844951.tif 000004
【図４】
0003844951.tif 000005
【図５】
0003844951.tif 000006
【図６】
0003844951.tif 000007
【図７】
0003844951.tif 000008
【図８】
0003844951.tif 000009
【図９】
0003844951.tif 000010
【図１０】
0003844951.tif 000011
【図１１】
0003844951.tif 000012
【図１２】
0003844951.tif 000013